(57)【要約】【課題】電気的に動作を停止させる機構を備えた電動工具を提供する。【解決手段】電動はさみ１Ａは、モータ５の動作停止を制御する信号を出力する第１のスイッチ１１と、第１のスイッチ１１を操作する副トリガ１２と、モータ５の動作を制御する信号を出力する第２のスイッチ１３と、第２のスイッチ１３を操作する主トリガ１４と、副トリガ１２が非操作位置に変位して、第１のスイッチ１１がオフとなると、モータ５の動作を停止する制御部１０を備える。【選択図】  図１
2010173045.tif 000002
【特許請求の範囲】
【請求項１】
駆動部の動作を制御する信号を出力する主スイッチと、
前記主スイッチを操作する主操作部と、
前記駆動部の動作停止を制御する信号を出力する副スイッチと、
前記副スイッチを操作する副操作部と、
前記副操作部で前記副スイッチが操作されて、動作を可能とする信号が出力されると、前記主操作部で前記主スイッチが操作されることにより出力される制御信号で前記駆動部の動作を制御すると共に、前記副操作部で前記副スイッチが操作されて、動作を停止する信号が出力されると、前記駆動部の動作を停止する制御部と
を備えたことを特徴とする電動工具。
【請求項２】
前記副スイッチは、非操作位置と操作位置との間を変位する前記副操作部が非操作位置に変位すると、動作を停止する信号を出力し、前記副操作部が操作位置に変位すると、動作を可能とする信号を出力すると共に、
前記副操作部は、非操作位置に変位すると、前記主操作部に係止して変位を規制する規制部を備えた
ことを特徴とする請求項１記載の電動工具。
【請求項３】
第１の位置と第２の位置との間を変位して、前記主スイッチを操作する前記主操作部は、第１の位置に変位した状態で、非操作位置に変位した前記副操作部の前記規制部が係止される操作規制部を備え、
前記操作規制部は、
操作位置から非操作位置に変位する前記副操作部の前記規制部に押圧されて退避する退避機構を備えた
ことを特徴とする請求項２記載の電動工具。
【請求項４】
前記操作規制部は、
前記主操作部が第２の位置に変位した状態では、操作位置から非操作位置に変位する前記副操作部の前記規制部が入る凹部を備え、
前記主操作部が第２の位置から第１の位置に変位する途中では、前記副操作部が非操作位置に変位することで前記凹部に入った前記規制部に押圧されて退避する
ことを特徴とする請求項３記載の電動工具。
【請求項５】
筐体を把持する片手で操作可能な位置に、前記主操作部と前記副操作部が並べて配置される
ことを特徴とする請求項１、２、３または４記載の電動工具。
【発明の詳細な説明】
【技術分野】
【０００１】
本発明は、手で持って使用される電動工具に関する。
【背景技術】
【０００２】
手で持って使用される電動工具として、モータの駆動力で刃部を開閉して、枝木等の切断対象物を切断できるようにした電動はさみが提案されている。
【０００３】
電動はさみは、トリガ等と称される操作部を有し、指でトリガを変位させることでスイッチが操作され、モータ等の駆動部が制御される。（例えば、特許文献１参照）。
【先行技術文献】
【特許文献】
【０００４】
【特許文献１】特許第２７３５２１８号公報
【発明の概要】
【発明が解決しようとする課題】
【０００５】
電動はさみ等の手で持って使用される従来の電動工具では、操作部の操作を機械的にロックできるようにして、誤操作等を防止できるようにしている。そして、電源スイッチ以外で、電気的に動作を停止させる機構を備えるものが望まれる。
【０００６】
本発明は、このような課題を解決するためなされたもので、電気的に動作を停止させる機構を備えた電動工具を提供することを目的とする。
【課題を解決するための手段】
【０００７】
上述した課題を解決するため、本発明は、駆動部の動作を制御する信号を出力する主スイッチと、主スイッチを操作する主操作部と、駆動部の動作停止を制御する信号を出力する副スイッチと、副スイッチを操作する副操作部と、副操作部で副スイッチが操作されて、動作を可能とする信号が出力されると、主操作部で主スイッチが操作されることにより出力される制御信号で駆動部の動作を制御すると共に、副操作部で副スイッチが操作されて、動作を停止する信号が出力されると、駆動部の動作を停止する制御部とを備えた電動工具である。
【０００８】
本発明では、副操作部が操作されることで、副スイッチから動作を可能とする信号が出力されると、主操作部が操作されることで主スイッチから出力される制御信号で駆動部の動作が制御される。主操作部が操作されているときに、副操作部が操作されることで、副スイッチから動作を停止する信号が出力されると、主操作部での操作によらず、駆動部の動作が停止される。
【発明の効果】
【０００９】
本発明によれば、主操作部での操作によらず、副操作部の操作で駆動部の動作を停止できるので、安全性が向上する。また、操作されることで変位する主操作部の位置によらず、副操作部を駆動部の動作を停止する位置に変位させることができる。
【図面の簡単な説明】
【００１０】
【図１】第１の実施の形態の電動はさみの構成の一例を示す側断面図である。
【図２】第１の実施の形態の電動はさみの構成の一例を示す側断面図である。
【図３】第１の実施の形態の電動はさみの構成の一例を示す側面図である。
【図４】第１の実施の形態の電動はさみにおける操作部の一例を示す要部側断面図である。
【図５】第１の実施の形態の電動はさみの制御機能の一例を示す機能ブロック図である。
【図６】第１の実施の形態の電動はさみの動作の一例を示す側断面である。
【図７】第１の実施の形態の電動はさみの動作の一例を示す側断面である。
【図８】第１の実施の形態の電動はさみの動作の一例を示す側断面である。
【図９】第１の実施の形態の電動はさみの動作の一例を示す側断面である。
【図１０】第１の実施の形態の電動はさみの動作の一例を示す側断面である。
【図１１】第１の実施の形態の電動はさみの動作の一例を示す側断面である。
【発明を実施するための形態】
【００１１】
以下、図面を参照して、本発明の電動工具の一例としての電動はさみの実施の形態について説明する。
【００１２】
＜第１の実施の形態の電動はさみの構成例＞
図１及び図２は、第１の実施の形態の電動はさみの構成の一例を示す側断面図で、図１は、刃が開いた状態を示し、図２は、刃が閉じた状態を示す。また、図３は、第１の実施の形態の電動はさみの構成の一例を示す側面図である。
【００１３】
第１の実施の形態の電動はさみ１Ａは、第１の可動刃２Ａと第２の可動刃３Ａが、それぞれ軸４Ａを支点に回転可能に支持される。
【００１４】
電動はさみ１Ａは、モータ５の回転動作が、ボールネジ機構６により直線動作に変換され、直線動作に変換されたモータ５の駆動力が、トグルリンク機構７Ａにより第１の可動刃２Ａと第２の可動刃３Ａに伝達されて、第１の可動刃２Ａと第２の可動刃３Ａが、軸４Ａを支点とした回転動作で開閉される。
【００１５】
電動はさみ１Ａは、ボールネジ機構６を挟んで２本のフレーム８Ａが設けられ、軸４Ａがフレーム８Ａに支持されると共に、ボールネジ機構６とトグルリンク機構７Ａの移動がフレーム８Ａによってガイドされる。また、電動はさみ１Ａは、上述した各部品が筐体９に取り付けられ、ユーザが筐体９を持って作業を行える形態である。
【００１６】
以下に、各部品の詳細について説明する。第１の可動刃２Ａは第１の刃部の一例で、軸４Ａによる支持位置を挟んで一方の側に刃形成部２０Ａを備え、他方の側に、刃形成部２０Ａとのなす角が所定の鈍角に形成される伝達部としてのブレードアーム２１Ａを備える。第１の可動刃２Ａは、刃形成部２０Ａとブレードアーム２１Ａを一体の構成としても良いが、刃形成部２０Ａの交換を容易にするため、刃形成部２０Ａとブレードアーム２１Ａを独立した部品で構成すると良い。
【００１７】
第２の可動刃３Ａは第２の刃部の一例で、軸４Ａによる支持位置を挟んで一方の側に刃形成部３０Ａを備え、他方の側に、刃形成部３０Ａとのなす角が所定の鈍角に形成される伝達部としてのブレードアーム３１Ａを備える。第１の可動刃２Ａと同様に、第２の可動刃３Ａは、刃形成部３０Ａとブレードアーム３１Ａを一体の構成としても良いが、刃形成部３０Ａの交換を容易にするため、刃形成部３０Ａとブレードアーム３１Ａを独立した部品で構成すると良い。
【００１８】
第１の可動刃２Ａと第２の可動刃３Ａは、刃形成部２０Ａと刃形成部３０Ａを筐体９から露出させた形態で、軸４Ａが取り付け金具４０Ａによりフレーム８Ａに取り付けられる。第１の可動刃２Ａと第２の可動刃３Ａは、取り付け金具４０Ａと軸４Ａの着脱で、刃形成部２０Ａ，３０Ａの交換が可能な構成となっている。
【００１９】
モータ５とボールネジ機構６は駆動部の一例で、モータ５は、駆動軸が例えば遊星ギアを用いた減速機５０に連結される。ボールネジ機構６は、減速機５０の出力軸に連結されるネジ軸６０と、ネジ軸６０のネジ溝に入れられる図示しないボールが組み込まれたナット部６１を備える。
【００２０】
ボールネジ機構６は、ナット部６１に設けられたガイド軸６２が、ネジ軸６０と平行な向きでフレーム８Ａに設けられたガイド溝８０に挿入される。ボールネジ機構６は、ネジ軸６０が回転駆動されると、ネジ軸６０を支点としたナット部６１の回転が、ガイド溝８０にガイド軸６２がガイドされることで規制され、ナット部６１がネジ軸６０に沿って直線移動する。
【００２１】
これにより、ボールネジ機構６は、モータ５の回転動作がナット部６１の直線動作に変換され、モータ５の回転方向に応じてナット部６１の移動方向が切り替えられる。
【００２２】
トグルリンク機構７Ａは、駆動軸７０Ａにより回転可能に連結された第１のリンク７１Ａと第２のリンク７２Ａを備える。トグルリンク機構７Ａは、第１のリンク７１Ａの一方の端部と第１の可動刃２Ａのブレードアーム２１Ａが、軸７３Ａを支点に回転可能に連結される。また、第２のリンク７２Ａの一方の端部と第２の可動刃３Ａのブレードアーム３１Ａが、軸７４Ａを支点に回転可能に連結される。更に、第１のリンク７１Ａの他方の端部と第２のリンク７２Ａの他方の端部が、駆動軸７０Ａを支点に回転可能に連結される。
【００２３】
トグルリンク機構７Ａは、第１の可動刃２Ａのブレードアーム２１Ａと第１のリンク７１Ａが、軸７３Ａによる連結部分で屈曲した形態となり、第２の可動刃３Ａのブレードアーム３１Ａと第２のリンク７２Ａが、軸７４Ａによる連結部分で屈曲した形態となる。また、第１のリンク７１Ａと第２のリンク７２Ａが、駆動軸７０Ａによる連結部分で屈曲した形態となる。
【００２４】
トグルリンク機構７Ａは、駆動軸７０Ａがフレーム８Ａのガイド溝８０にガイドされ、ネジ軸６０と平行な方向に移動可能に支持される。トグルリンク機構７Ａは、駆動軸７０Ａが伝達部材７５によりナット部６１に連結され、ボールネジ機構６によりモータ５の回転動作が直線動作に変換されるナット部６１に連動して直線移動する。
【００２５】
第１の可動刃２Ａと第２の可動刃３Ａは、軸４Ａを支点とした回転動作で開閉し、第１の可動刃２Ａのブレードアーム２１Ａと第２の可動刃３Ａのブレードアーム３１Ａとのなす角が開く方向に回転することで閉じる。
【００２６】
トグルリンク機構７Ａは、駆動軸７０Ａによる連結部分で屈曲した形態となっている第１のリンク７１Ａと第２のリンク７２Ａが、第１の可動刃２Ａと第２の可動刃３Ａが閉じる動作に連動して、直線移動する駆動軸７０Ａを支点に、第１のリンク７１Ａと第２のリンク７２Ａとのなす角が開く方向に回転する。そして、第１の可動刃２Ａと第２の可動刃３Ａを閉じると、第１のリンク７１Ａと第２のリンク７２Ａとのなす角が１８０°に近づくように、各部の寸法や角度が決められる。なお、第１のリンク７１Ａと第２のリンク７２Ａとのなす角が１８０°を超えると、第１の可動刃２Ａと第２の可動刃３Ａが開く方向に回転するので、第１のリンク７１Ａと第２のリンク７２Ａとのなす角が１８０°を超えないように構成する。
【００２７】
図４は、第１の実施の形態の電動はさみにおける操作部の一例を示す要部側断面図、図５は、第１の実施の形態の電動はさみの制御機能の一例を示す機能ブロック図である。
【００２８】
電動はさみ１Ａは、第１の可動刃２Ａと第２の可動刃３Ａの開閉動作を制御する制御部１０を備える。また、電動はさみ１Ａは、モータ５の動作を停止する信号を出力する第１のスイッチ１１と連動する副トリガ１２と、モータ５の回転方向、回転量及び回転速度を制御する制御信号を出力する第２のスイッチ１３と連動する主トリガ１４を備える。
【００２９】
第１のスイッチ１１は副スイッチの一例で、例えば、バッテリ１０ａからモータ５へ供給される電源のオンとオフを切り替える。制御部１０は、第１のスイッチ１１がオフであると、モータ５を駆動する駆動部１０ｂへの電源の供給を停止する。なお、制御部１０は、第１のスイッチ１１がオンからオフに切り替わると、第１の可動刃２Ａと第２の可動刃３Ａが開く方向にモータ５を回転させてから、動作を停止する等の制御を行っても良い。
【００３０】
第２のスイッチ１３は主スイッチの一例で、主トリガ１４の操作に応じた制御信号を出力する。
【００３１】
副トリガ１２と主トリガ１４は、筐体９を持った片手で、通常、副トリガ１２は中指で操作でき、主トリガ１４は人差し指で操作できるように、筐体９の長手方向に沿って並べて配置される。
【００３２】
副トリガ１２は副操作部の一例で、主トリガ１４側に設けられる軸１２ａを支点に回転可能に筐体９に取り付けられ、第１のスイッチ１１がオフとなる非操作位置Ａ１と、第１のスイッチ１１がオンとなる操作位置Ａ２との間で変位する。
【００３３】
副トリガ１２は、バネ１２ｂで非操作位置Ａ１方向に付勢され、人手による外力が加わらない状態では、非操作位置Ａ１に保持される。指により副トリガ１２が引かれると、バネ１２ｂに抗して副トリガ１２は軸１２ａを支点に回転して操作位置Ａ２に変位し、第１のスイッチ１１を押してオンとする。
【００３４】
副トリガ１２から指を離すと、バネ１２ｂが復元する力で副トリガ１２は軸１２ａを支点に回転して非操作位置Ａ１に変位し、第１のスイッチ１１をオフとする。
【００３５】
副トリガ１２は、主トリガ１４の操作を規制する規制突起１２ｃを備える。規制突起１２ｃは規制部の一例で、副トリガ１２が非操作位置Ａ１に変位すると、主トリガ１４の外周部分における変位軌跡Ｃに突出し、副トリガ１２が操作位置Ａ２に変位すると、主トリガ１４の変位軌跡Ｃから退避する。
【００３６】
主トリガ１４は主操作部の一例で、第２のスイッチ１３の軸１３ａに取り付けられ、第２のスイッチ１３の軸１３ａを回転させながら、第１の可動刃２Ａと第２の可動刃３Ａが開く開位置Ｂ１と、第１の可動刃２Ａと第２の可動刃３Ａが閉じる閉位置Ｂ２との間で変位する。
【００３７】
主トリガ１４の回転の支点となる軸１３ａは、副トリガ１２と反対側に設けられ、主トリガ１４の変位軌跡Ｃは、軸１３ａを中心とした円弧状となる。
【００３８】
主トリガ１４は、バネ１４ａで開位置Ｂ１方向に付勢され、人手による外力が加わらない状態では、開位置Ｂ１に保持される。指により主トリガ１４が引かれると、バネ１４ａに抗して主トリガ１４は第２のスイッチ１３の軸１３ａを回転させながら閉位置Ｂ２まで変位する。
【００３９】
主トリガ１４から指を離すと、バネ１４ａが復元する力で主トリガ１４は第２のスイッチ１３の軸１３ａを回転させながら開位置Ｂ１に変位する。
【００４０】
第２のスイッチ１３は、主トリガ１４が操作されることで軸１３ａが回転すると、回転方向、回転量及び回転速度に応じた制御信号を出力し、制御部１０は、主トリガ１４の動きに合わせてモータ５を制御する。
【００４１】
主トリガ１４は、副トリガ１２が係止されるトリガロック１５を備える。トリガロック１５は操作規制部の一例で、副トリガ１２と対向する側に、軸１５ａに支持されて回転可能に取り付けられ、副トリガ１２の規制突起１２ｃが係止される規制位置Ｄ１と、主トリガ１４の変位軌跡Ｃから内側に退避した退避位置Ｄ２との間で変位する。
【００４２】
トリガロック１５は、バネ１５ｂで規制位置Ｄ１方向に付勢され、外力が加わらない状態では、規制位置Ｄ１に保持される。副トリガ１２が非操作位置Ａ１にある状態で、主トリガ１４が閉位置Ｂ２から開位置Ｂ１に変位するときに、副トリガ１２の規制突起１２ｃに押されることで、バネ１５ｂに抗してトリガロック１５は軸１５ａを支点に回転して退避位置Ｄ２に変位する。トリガロック１５は、軸１５ａとバネ１５ｂで退避機構が構成される。
【００４３】
トリガロック１５は、主トリガ１４が閉位置Ｂ２にある状態で、副トリガ１２の規制突起１２ｃと対向する位置に、規制突起１２ｃが入る退避凹部１５ｃが形成される。
【００４４】
電動はさみ１Ａでは、副トリガ１２が操作されておらず非操作位置Ａ１にあると、第１のスイッチ１１がオフの状態で、電源が供給されない。また、副トリガ１２が非操作位置Ａ１にあり、かつ、主トリガ１４が開位置Ｂ１にあると、トリガロック１５が規制位置Ｄ１にあり、規制突起１２ｃがトリガロック１５に係止され、主トリガ１４の操作が規制される。
【００４５】
副トリガ１２を操作して、操作位置Ａ２に変位させると、第１のスイッチ１１がオンとなり電源が入ると共に、規制突起１２ｃが主トリガ１４のトリガロック１５から外れる。これにより、主トリガ１４の操作が可能となる。
【００４６】
副トリガ１２を操作位置Ａ２に保持した状態で、主トリガ１４を操作すると、主トリガ１４の開位置Ｂ１と閉位置Ｂ２の間における回転方向、回転量及び回転速度に応じた制御信号が第２のスイッチ１３で出力され、主トリガ１４の動きに合わせてモータ５が制御される。
【００４７】
＜第１の実施の形態の電動はさみの動作例＞
図６〜図１１は、第１の実施の形態の電動はさみの動作の一例を示す側断面で、次に、各図を参照して第１の実施の形態の電動はさみ１Ａの動作について説明する。
【００４８】
電動はさみ１Ａは、ユーザにより副トリガ１２が操作されていない状態では、図６に示すように、副トリガ１２はバネ１２ｂで押されて非操作位置Ａ１に変位し、第１のスイッチ１１がオフの状態である。
【００４９】
また、副トリガ１２が非操作位置Ａ１にあり、かつ、主トリガ１４が開位置Ｂ１にあると、トリガロック１５がバネ１５ｂで押されて規制位置Ｄ１に変位する。これにより、副トリガ１２の規制突起１２ｃが主トリガ１４のトリガロック１５に係止され、主トリガ１４を引くことができない。
【００５０】
このように、副トリガ１２が操作されず非操作位置Ａ１にある状態では、第１のスイッチ１１がオフで電源が入っておらず、更に、機械的なロックにより主トリガ１４を引くことができないので、安全性が向上する。
【００５１】
ユーザは、電動はさみ１Ａを使用する際には、筐体９を持って副トリガ１２を操作する。副トリガ１２が矢印Ｇ１方向に指で引かれると、図７に示すように、バネ１２ｂに抗して副トリガ１２は軸１２ａを支点に回転して操作位置Ａ２に変位し、第１のスイッチ１１を押してオンとする。また、副トリガ１２が操作位置Ａ２に変位すると、副トリガ１２の規制突起１２ｃは、主トリガ１４の変位軌跡Ｃから退避する。
【００５２】
これにより、電動はさみ１Ａでは、副トリガ１２が引かれて操作位置Ａ２に変位されると、電気的なスイッチにより電源が入る。また、主トリガ１４を開位置Ｂ１から動かないようにする副トリガ１２による主トリガ１４の機械的なロックがはずれ、主トリガ１４の操作が可能となる。
【００５３】
ユーザは、副トリガ１２を操作位置Ａ２に保持した状態で、主トリガ１４を操作する。主トリガ１４が矢印Ｇ２方向に指で引かれると、図８に示すように、バネ１４ａに抗して主トリガ１４は第２のスイッチ１３の軸１３ａを回転させながら閉位置Ｂ２まで変位する。電動はさみ１Ａでは、主トリガ１４の変位で第２のスイッチ１３の軸１３ａが回転することにより、主トリガ１４の回転方向、回転量及び回転速度に応じた制御信号が第２のスイッチ１３で出力され、主トリガ１４の動きに合わせてモータ５が制御される。
【００５４】
電動はさみ１Ａは、主トリガ１４を握る方向に変位させると、第１の可動刃２Ａと第２の可動刃３Ａが閉じ、主トリガ１４を離す方向に変位させると、第１の可動刃２Ａと第２の可動刃３Ａが開く方向に、モータ５が制御される。
【００５５】
第１の可動刃２Ａと第２の可動刃３Ａが閉じる方向にモータ５が回転駆動されると、ネジ軸６０の回転方向に従って、ナット部６１は矢印Ｆ１方向に直線移動する。
【００５６】
モータ５が所定の方向に回転駆動されてナット部６１が矢印Ｆ１方向に直線移動すると、ナット部６１と伝達部材７５で連結されたトグルリンク機構７Ａの駆動軸７０Ａが、第１の可動刃２Ａと第２の可動刃３Ａの軸４Ａに近づく方向である矢印Ｆ１方向に直線移動する。
【００５７】
トグルリンク機構７Ａは、駆動軸７０Ａの直線移動による変位が、第１のリンク７１Ａによって第１の可動刃２Ａに伝達されると共に、第２のリンク７２Ａによって第２の可動刃３Ａに伝達される。
【００５８】
図１に示すように、第１の可動刃２Ａと第２の可動刃３Ａが開いた状態から、トグルリンク機構７Ａの駆動軸７０Ａが矢印Ｆ１方向に直線移動すると、駆動軸７０Ａによる連結部分で屈曲した形態となっている第１のリンク７１Ａと第２のリンク７２Ａが、直線移動する駆動軸７０Ａを支点に、第１のリンク７１Ａと第２のリンク７２Ａとのなす角が開く方向に回転する。
【００５９】
第１のリンク７１Ａがブレードアーム２１Ａに連結された第１の可動刃２Ａと、第２のリンク７２Ａがブレードアーム３１Ａに連結された第２の可動刃３Ａは、軸４Ａを支点にして、ブレードアーム２１Ａとブレードアーム３１Ａとのなす角が開く方向に回転する。ブレードアーム２１Ａとブレードアーム３１Ａとのなす角が開く方向に回転すると、第１の可動刃２Ａと第２の可動刃３Ａが閉じる。
【００６０】
そして、第１の可動刃２Ａと第２の可動刃３Ａが閉じると、第１のリンク７１Ａと第２のリンク７２Ａとのなす角が１８０°に近づいた状態となる。トグルリンク機構７Ａでは、第１の可動刃２Ａと第２の可動刃３Ａを閉じて行くと、第１のリンク７１Ａと第２のリンク７２Ａとのなす角が１８０°に近づくことで、第１のリンク７１Ａと第２のリンク７２Ａが一直線上に並ぶ形態に近づく。
【００６１】
これにより、図１に示すような第１の可動刃２Ａと第２の可動刃３Ａの閉じ始めの状態に比較して、図２に示すような第１の可動刃２Ａと第２の可動刃３Ａが閉じた状態の方が、第１の可動刃２Ａの刃形成部２０Ａと第２の可動刃３Ａの刃形成部３０Ａにより発生する切断力が増大する。
【００６２】
第１の可動刃２Ａと第２の可動刃３Ａが開く方向にモータ５が回転駆動されると、ネジ軸６０の回転方向に従って、ナット部６１は矢印Ｆ２方向に直線移動する。
【００６３】
モータ５が所定の逆方向に回転駆動されてナット部６１が矢印Ｆ２方向に直線移動すると、トグルリンク機構７Ａの駆動軸７０Ａが、第１の可動刃２Ａと第２の可動刃３Ａの軸４Ａから離れる方向である矢印Ｆ２方向に直線移動する。
【００６４】
図２に示すように、第１の可動刃２Ａと第２の可動刃３Ａが閉じた状態から、トグルリンク機構７Ａの駆動軸７０Ａが矢印Ｆ２方向に直線移動すると、第１のリンク７１Ａと第２のリンク７２Ａが、直線移動する駆動軸７０Ａを支点に、第１のリンク７１Ａと第２のリンク７２Ａとのなす角が閉じる方向に回転する。
【００６５】
第１のリンク７１Ａがブレードアーム２１Ａに連結された第１の可動刃２Ａと、第２のリンク７２Ａがブレードアーム３１Ａに連結された第２の可動刃３Ａは、軸４Ａを支点にして、ブレードアーム２１Ａとブレードアーム３１Ａとのなす角が閉じる方向に回転する。ブレードアーム２１Ａとブレードアーム３１Ａとのなす角が閉じる方向に回転すると、第１の可動刃２Ａと第２の可動刃３Ａが開く。
【００６６】
第１の実施の形態の電動はさみ１Ａは、上述した可動刃を開閉する動作中で、例えば、可動刃を閉じる動作を緊急停止したい場合、また、主トリガ１４が戻らなくなった場合等に、副トリガ１２を操作することで、動作を停止することが可能である。
【００６７】
ユーザは、主トリガ１４を引いて閉位置Ｂ２まで変位させた状態のまま、副トリガ１２から指を離す。矢印Ｇ３に示すように、副トリガ１２から指を離すと、図９に示すように、バネ１２ｂが復元する力で副トリガ１２は軸１２ａを支点に回転して、図１０に示すように非操作位置Ａ１に変位する。副トリガ１２が非操作位置Ａ１に変位すると、第１のスイッチ１１がオフとなり、電源の供給が切断されて、動作が停止する。
【００６８】
副トリガ１２が操作位置Ａ２から非操作位置Ａ１に変位すると、規制突起１２ｃが主トリガ１４の変位軌跡Ｃに突出する。一方、主トリガ１４のトリガロック１５は、主トリガ１４が閉位置Ｂ２にある状態で、副トリガ１２の規制突起１２ｃと対向する位置に、規制突起１２ｃが入る退避凹部１５ｃが形成される。
【００６９】
これにより、主トリガ１４が閉位置Ｂ２にある状態で、副トリガ１２が操作位置Ａ２から非操作位置Ａ１に変位すると、規制突起１２ｃがトリガロック１５の退避凹部１５ｃに入り、主トリガ１４が閉位置Ｂ２にあっても、副トリガ１２の回転が阻害されることはない。
【００７０】
主トリガ１４が閉位置Ｂ２にある状態で、副トリガ１２を操作位置Ａ２から非操作位置Ａ１に戻して動作を停止させた後、主トリガ１４を開位置Ｂ１に戻す場合は、副トリガ１２を操作することなく非操作位置Ａ１で保持した状態で、主トリガ１４から指を離す。
【００７１】
副トリガ１２を非操作位置Ａ１で保持した状態で、矢印Ｇ４に示すように、主トリガ１４から指を離すと、図１１に示すように、バネ１４ａが復元する力で主トリガ１４は軸１３ａを回転させながら開位置Ｂ１に変位する。
【００７２】
副トリガ１２が非操作位置Ａ１にあると、副トリガ１２の規制突起１２ｃが主トリガ１４の変位軌跡Ｃに突出しており、主トリガ１４が閉位置Ｂ２から開位置Ｂ１に変位する途中で、主トリガ１４のトリガロック１５に規制突起１２ｃが接する。
【００７３】
主トリガ１４のトリガロック１５は、副トリガ１２が非操作位置Ａ１にある状態で、主トリガ１４が閉位置Ｂ２から開位置Ｂ１に変位する途中で、副トリガ１２の規制突起１２ｃに押されることで、バネ１５ｂに抗して軸１５ａを支点に回転して、退避位置Ｄ２に変位する。
【００７４】
これにより、主トリガ１４のトリガロック１５は、主トリガ１４の変位軌跡Ｃより内側に退避するので、副トリガ１２の規制突起１２ｃが主トリガ１４の変位軌跡Ｃに突出していても、主トリガ１４の回転動作が妨げられることはなく、副トリガ１２が非操作位置Ａ１にある状態で、主トリガ１４が閉位置Ｂ２から開位置Ｂ１に変位する。
【００７５】
このように、主トリガ１４が閉位置Ｂ２にある状態で、副トリガ１２を操作位置Ａ２から非操作位置Ａ１に変位させて動作を停止させた後、副トリガ１２を非操作位置Ａ１で保持したまま、主トリガ１４を開位置Ｂ１に戻せるようにすれば、再度電源がオンとならず、安全性が向上する。
【００７６】
電動はさみ１Ａでは、主トリガ１４の回転量（変位位置）に応じて第１の可動刃２Ａと第２の可動刃３Ａの開度が調整できることから、主トリガ１４を開位置Ｂ１と閉位置Ｂ２の間の途中の位置で止める操作が行われる場合がある。
【００７７】
主トリガ１４を開位置Ｂ１と閉位置Ｂ２の間の途中の位置で止めているとき、操作位置Ａ２で保持した副トリガ１２から指が離されると、バネ１２ｂが復元する力で副トリガ１２は軸１２ａを支点に回転する。
【００７８】
主トリガ１４が開位置Ｂ１と閉位置Ｂ２の間の途中の位置で止められている状態では、副トリガ１２が操作位置Ａ２から非操作位置Ａ１に変位すると、副トリガ１２の規制突起１２ｃに主トリガ１４のトリガロック１５が押される。
【００７９】
主トリガ１４のトリガロック１５は、副トリガ１２の規制突起１２ｃに押されることで、バネ１５ｂに抗して軸１５ａを支点に回転して、退避位置Ｄ２に変位する。
【００８０】
これにより、副トリガ１２は、非操作位置Ａ１まで変位することが可能で、副トリガ１２が非操作位置Ａ１に変位すると、第１のスイッチ１１がオフとなり、電源の供給が切断されて、動作が停止する。
【００８１】
また、開位置Ｂ１と閉位置Ｂ２の間の途中の位置で止められている主トリガ１４から指を離せば、主トリガ１４のトリガロック１５が退避位置Ｄ２に変位しているので、副トリガ１２が非操作位置Ａ１に変位した状態で、主トリガ１４は、開位置Ｂ１に変位可能である。
【００８２】
このように、主トリガ１４のトリガロック１５に退避機構を備えることで、主トリガ１４の変位位置によらず、副トリガ１２を非操作位置Ａ１に戻すことができ、安全性が向上する。
【産業上の利用可能性】
【００８３】
本発明は、手で持ち、トリガ等の操作部を操作しながら使用される電動工具に適用される。
【符号の説明】
【００８４】
１Ａ・・・電動はさみ、２Ａ・・・第１の可動刃、３Ａ・・・第２の可動刃、４Ａ・・・軸、５・・・モータ、６・・・ボールネジ機構、７Ａ・・・トグルリンク機構、１０・・・制御部、１１・・・第１のスイッチ、１２・・・副トリガ、１２ａ・・・軸、１２ｂ・・・バネ、１２ｃ・・・規制突起、１３・・・第１のスイッチ、１３ａ・・・軸、１４・・・主トリガ、１４ａ・・・バネ、１５・・・トリガロック、１５ａ・・・軸、１５ｂ・・・バネ、１５ｃ・・・退避凹部
【図１】
2010173045.tif 000003
【図２】
2010173045.tif 000004
【図３】
2010173045.tif 000005
【図４】
2010173045.tif 000006
【図５】
2010173045.tif 000007
【図６】
2010173045.tif 000008
【図７】
2010173045.tif 000009
【図８】
2010173045.tif 000010
【図９】
2010173045.tif 000011
【図１０】
2010173045.tif 000012
【図１１】
2010173045.tif 000013